(57)【特許請求の範囲】
【請求項１】
載置面に載置された媒体の画像を読み取る画像読取部と、
前記画像読取部を往復移動可能に内部に設けた筐体と、
前記画像読取部の移動方向に沿って延び、前記画像読取部の移動を案内する案内部と、
前記画像読取部に設けられ、前記案内部に沿って前記画像読取部を前記移動方向に移動させる駆動機構と、
前記筐体に設けられた収容部に収容された第１の状態と前記収容部から出て前記筐体を傾斜姿勢に保持可能な第２の状態とを切換可能であるスタンドと、を備え、
前記収容部は、前記画像読取部の前記移動方向と交差する方向において、前記駆動機構が移動する移動領域に対し、前記案内部を挟んで反対側の領域に配置されており、
前記筐体が第２の状態である前記傾斜姿勢において、前記案内部は、傾斜方向と交差する方向に沿って延びているとともに、前記収容部が前記駆動機構の前記移動領域に対し、前記案内部を挟んで傾斜方向上方側に位置している、
ことを特徴とする画像読取装置。
【請求項２】
載置面に載置された媒体の画像を読み取る画像読取部と、
前記画像読取部を往復移動可能に内部に設けた筐体と、
前記画像読取部の移動方向に沿って延び、前記画像読取部の移動を案内する案内部と、
前記画像読取部に設けられ、前記案内部に沿って前記画像読取部を前記移動方向に移動させる駆動機構と、
前記筐体に設けられた収容部に収容された第１の状態と前記収容部から出て前記筐体を傾斜姿勢に保持可能な第２の状態とを切換可能であるスタンドと、を備え、
前記収容部は、前記画像読取部の前記移動方向と交差する方向において、前記駆動機構が移動する移動領域に対し、前記案内部を挟んで反対側の領域に配置されており、
前記載置面と直交する方向において、前記載置面から前記収容部の少なくとも一部の部位までの距離と、前記載置面から前記駆動機構の少なくとも一部の部位までの距離と、が同じである、
ことを特徴とする画像読取装置。
【請求項３】
請求項１に記載の画像読取装置において、前記載置面と直交する方向において、前記載置面から前記収容部の少なくとも一部の部位までの距離と、前記載置面から前記駆動機構の少なくとも一部の部位までの距離と、が同じである、
ことを特徴とする画像読取装置。
【請求項４】
請求項１から請求項３に記載の画像読取装置において、前記駆動機構はモーターを備えるとともに、前記画像読取部に取り付けられている、
ことを特徴とする画像読取装置。
【請求項５】
載置面に載置された媒体の画像を読み取る画像読取部と、
前記画像読取部を往復移動可能に内部に設けた筐体と、
前記画像読取部の移動方向に沿って延び、前記画像読取部の移動を案内する案内部と、
前記画像読取部に取り付けられ、モーターを備えるとともに、前記案内部に沿って前記画像読取部を前記移動方向に移動させる駆動機構と、
前記筐体に設けられた収容部に収容された第１の状態と前記収容部から出て前記筐体を傾斜姿勢に保持可能な第２の状態とを切換可能であるスタンドと、を備え、
前記載置面と直交する方向において、前記載置面から前記収容部の一部の部位までの距離と、前記載置面から前記駆動機構の一部の部位までの距離と、が同じである、
ことを特徴とする画像読取装置。
【請求項６】
載置面に載置された媒体の画像を読み取る画像読取部と、
前記画像読取部を往復移動可能に内部に設けた筐体と、
前記画像読取部の移動方向に沿って延び、前記画像読取部の移動を案内する案内部と、
前記画像読取部に取り付けられ、モーターを備えるとともに、前記案内部に沿って前記画像読取部を前記移動方向に移動させる駆動機構と、
前記筐体に設けられた収容部に収容された第１の状態と前記収容部から出て前記筐体を傾斜姿勢に保持可能な第２の状態とを切換可能であるスタンドと、を備え、
前記収容部は、前記画像読取部の前記移動方向と交差する方向おいて、前記駆動機構が移動する移動領域に対し、前記案内部を挟んで反対側の領域に配置されている、
ことを特徴とする画像読取装置。
【請求項７】
請求項５に記載の画像読取装置において、前記筐体が第２の状態である前記傾斜姿勢において、前記収容部が前記駆動機構の移動領域に対し、前記案内部を挟んで傾斜方向上方側に位置している、
ことを特徴とする画像読取装置。
【発明の詳細な説明】
【技術分野】
【０００１】
本発明は、載置面上に載置された媒体の画像を読み取る画像読取装置に関する。  
【背景技術】
【０００２】
従来、画像読取装置では媒体（原稿）を載置する載置面が略水平に設置される横置き状態とし、載置面に載置された媒体を画像読取部で読み取ることが行われている。この状態では、画像読取装置の設置面積が大きいことから、当該画像読取装置の設置スペースの確保が問題となる。
【０００３】
この問題を解決すべく、画像読取装置を縦置きの状態で保持することができるスタンドを備えたものがある（特許文献１）。この画像読取装置では、縦置きの状態で画像を読み取ることができ、非使用時においても縦置き状態が保持されるので設置面積が小さくなり、画像読取装置の利便性と収納性が向上する。
【０００４】
また、載置面に載置された媒体（原稿）の読み取りは、画像読取センサを搭載した画像読取部を移動させて行う。画像読取部を移動させる駆動機構としては、画像読取装置の筐体に設けたモーターの駆動力をタイミングベルトに伝達して画像読取部を移動させる「ベルト駆動式」（特許文献１）や画像読取部に設けたモーターの駆動力をラックと噛合しているピニオンギアに伝達して画像読取部を移動させる「自走式」（特許文献２）などが知られている。
【先行技術文献】
【特許文献】
【０００５】
【特許文献１】特開２００６−１８６７７１号公報
【特許文献２】特開２００９−２０５１３４号公報
【発明の概要】
【発明が解決しようとする課題】
【０００６】
ところで、特許文献１に記載された画像読取装置において前記スタンドは、前記画像読取装置の筐体の裏面に取り付けられている。前記スタンドは、互いに連結された複数の部材から成り、使用状態と非使用状態とを切換可能に構成されている。前記スタンドは、使用状態において前記画像読取装置を設置面に対して傾斜した姿勢、つまり縦置きの状態で保持する。
【０００７】
一方、このスタンドは非使用状態では、互いに連結された複数の部材において一の部材が他の部材に対して回動することにより折り畳まれる。そして、前記スタンドは、画像読取装置の筐体の裏面に対して折り畳まれた状態となる。この画像読取装置では、載置面に直交する方向において複数の部材を折り畳んだ状態のスタンドの全体が筐体に収容されず、当該筐体の裏面に前記複数の部材を折り畳んだ状態のスタンドの一部が筐体に設けた収容部に収容されて取り付けられている。
【０００８】
また、画像読取部を移動させる駆動機構が「自走式」である画像読取装置（特許文献２）において、画像読取装置を縦置きの状態で保持することができる前記スタンドの収容部を、媒体（原稿）を載置する載置面と直交する方向から見た際に、画像読取部の駆動機構が移動する移動領域と重なるように配置すると、前記載置面に直交する方向における前記複数の部材を折り畳んだ状態のスタンドの寸法分だけ、画像読取装置が大型化することとなる。
【０００９】
本発明は、上記問題点に鑑みてなされたもので、画像読取装置において当該画像読取装置を傾斜姿勢に保持するスタンドを備えるとともに、装置寸法の小型化を図ることができる画像読取装置を提供することを目的とする。
【課題を解決するための手段】
【００１０】
上記課題を達成するため、本発明の第１の態様の画像読取装置は、載置面に載置された媒体の画像を読み取る画像読取部と、前記画像読取部を往復移動可能に内部に設けた筐体と、前記画像読取部の移動方向に沿って延び、前記画像読取部の移動を案内する案内部と、前記画像読取部に設けられ、前記案内部に沿って前記画像読取部を前記移動方向に移動させる駆動機構と、前記筐体に設けられた収容部に収容された第１の状態と前記収容部から出て前記筐体を傾斜姿勢に保持可能な第２の状態とを切換可能であるスタンドと、を備え、前記収容部が、前記画像読取部の前記移動方向と交差する方向において、前記駆動機構が移動する移動領域に対し反対側の領域に配置されていることを特徴とする。
【００１１】
本態様によれば、前記収容部を前記画像読取部の移動方向と交差する方向において、前記駆動機構が移動する移動領域に対し反対側の領域に配置したので、前記スタンドを収容する前記収容部と前記駆動機構とを重ねて配置する必要がなく、装置寸法、特に厚み方向寸法を抑えることができる。
【００１２】
本発明の第２の態様の画像読取装置は、第１の態様において、前記筐体が前記傾斜姿勢にある状態で、前記案内部は、傾斜方向と交差する方向に沿って延びているとともに、前記収容部が前記駆動機構の前記移動領域に対し上側に位置していることを特徴とする。
【００１３】
本態様によれば、前記筐体を傾斜姿勢にした際、傾斜方向と交差する方向に沿って延びている前記案内部に対して前記駆動機構の前記移動領域は傾斜方向下方側に位置している。これにより、傾斜姿勢における前記筐体の重心を下方側に下げることができ、前記筐体の傾斜姿勢における安定性を向上させることができる。
【００１４】
本発明の第３の態様の画像読取装置は、第１または第２の態様において、前記載置面と直交する方向において、前記載置面から前記収容部の少なくとも一部の部位までの距離と、前記載置面から前記駆動機構の少なくとも一部の部位までの距離と、が同じであることを特徴とする。
【００１５】
本態様によれば、前記載置面と直交する方向において、前記載置面から収容部の少なくとも一部の部位までの距離が前記駆動機構の少なくとも一部の部位までの距離と同じであることから、前記載置面と直交する方向において前記駆動機構と前記収容部とを積み上げて配置することがないので、前記載置面と直交する方向における装置寸法の小型化を図ることができる。
【００１６】
本発明の第４の態様の画像読取装置は、第１から第３のいずれか一の態様において、前記スタンドは旋回軸を中心に旋回することにより、前記第１の状態と前記第２の状態とを切換可能であることを特徴とする。
【００１７】
本態様によれば、前記スタンドを前記筐体に対して旋回させれば、第１の状態と第２の状態とを切換可能であるので前記スタンドの操作性を向上させることができる。
【００１８】
本発明の第５の態様の画像読取装置は、第４の態様において、前記旋回軸は前記載置面と直交する方向に対して傾斜していることを特徴とする。
【００１９】
本態様によれば、前記旋回軸を前記載置面と直交する方向に対して傾斜させているので、前記旋回軸を支点に前記スタンドを前記筐体に対して旋回させて使用状態である前記第２の状態とした際、前記載置面と直交する方向において前記スタンドの自由端側と前記筐体の裏面との間の距離が大きくなる。つまり、前記筐体を傾斜姿勢にした際、前記筐体の設置面における接地位置と前記スタンドの前記設置面における接地位置との間の距離を大きくすることができるので、前記筐体の傾斜姿勢を安定させることができる。
【００２０】
本発明の第６の態様の画像読取装置は、第４または第５の態様において、前記スタンドは単一の部材として構成されていることを特徴とする。  
本態様によれば、前記スタンドを単一の部材として構成したので、前記スタンドの構成を簡素化でき、コストダウンを図ることができる。
【００２１】
本発明の第７の態様の画像読取装置は、第４から第６のいずれか一の態様において、前記収容部には庇状のロック部が形成され、前記スタンドには被ロック部が形成され、前記スタンドが前記収容部に収容された状態において、前記被ロック部は前記ロック部に潜り込んだ状態で前記スタンドの旋回方向の動きがロックされることを特徴とする。
【００２２】
本態様によれば、前記収容部に前記スタンドが収容された状態において、前記被ロック部が庇状の前記ロック部に潜り込んだ状態で前記スタンドの旋回方向にロックされるので、前記スタンドの旋回方向の動きがロックされるだけでなく、前記載置面と直交する方向の動きもロックされる。その結果、前記スタンドが前記収容部から旋回方向に不用意に引き出されるのを抑制できるとともに前記載置面と直交する方向における前記スタンドの前記筐体に対するバタつきを抑えることができる。
【００２３】
本発明の第８の態様の画像読取装置は、第１から第７のいずれか一の態様において、前記スタンドは前記収容部に収容された状態において、前記筐体の裏面の一部を構成することを特徴とする。
【００２４】
本発明の第９の態様の画像読取装置は、第４から第８のいずれか一の態様において、前記スタンドの前記第２の状態から前記第１の状態への切換を規制する規制手段を備えることを特徴とする。
【００２５】
本態様によれば、画像読取装置はスタンドの第２の状態から第１の状態への切換を規制する規制手段を備えているので、スタンドの第２の状態を維持することができる。つまり、スタンドが第２の状態から第１の状態へと旋回してスタンドの状態が切り換わることにより傾斜状態の筐体が倒れることを低減、あるいは防止する。これにより、画像読取装置の損傷を低減、あるいは防止することができる。
【００２６】
本発明の第１０の態様の画像読取装置は、第９の態様において、前記収容部は前記移動方向に沿って設けられ、前記スタンドが前記第１の状態から前記第２の状態へ切り換わる際の旋回角度は９０度以上であることを特徴とする。
【００２７】
本態様によれば、筐体をスタンドにより傾斜姿勢で保持すると、スタンドには画像読取装置の重量の一部が作用する。本態様では、スタンドを画像読取部の移動方向に延びる第１の状態から９０度以上旋回させているので、第２の状態にあるスタンドに第２の状態から第１の状態にスタンドを旋回させようとする力が作用した際、スタンドに作用する画像読取装置の重量の一部がスタンドを旋回させようとする力の抗力として作用する。その結果、スタンドは前記力に抗して第２の状態を保持することができる。これにより、スタンドが第２の状態から第１の状態に切り換わることを低減、あるいは防止することができ、スタンドの状態が不用意に切り換わることによる画像読取装置の損傷を低減、あるいは防止することができる。
【００２８】
本発明の第１１の態様の画像読取装置は、第９または第１０の態様において、各種操作を行う操作部を備え、前記筐体が前記傾斜姿勢にある際、前記操作部に入力される力は前記スタンドを前記第１の状態から前記第２の状態へ切り換える方向に作用することを特徴とする。
【００２９】
本態様において、「入力される力」とは、例えば筐体において操作部に設けられたスイッチやボタンを押す力を意味している。
【００３０】
本態様によれば、前記操作部に入力される力は前記スタンドを前記第１の状態から前記第２の状態への切り換える方向に作用する。例えば、前記筐体を傾斜した姿勢で設置面に設置させた状態で前記画像読取装置を操作した際、前記筐体は前記スタンドの前記第２の状態から前記第１の状態への切換方向に押される。その結果、前記筐体を押すことにより前記スタンドには前記スタンドの自由端と設置面との間の摩擦で生じる反力が前記第１の状態から前記第２の状態への切り換わる方向へ作用する。つまり、前記操作部を操作すると、前記操作部に入力された力は前記スタンドを前記第１の状態から前記第２の状態へ切り換える方向に作用する。その結果、前記スタンドの前記第２の状態が維持される。したがって、前記筐体が傾斜した姿勢において前記操作部を操作した際、前記筐体が倒れることを抑制し、前記操作部の操作性を向上させることができ、前記画像読取装置の利便性を向上させることができる。
【図面の簡単な説明】
【００３１】
【図１】本実施例に係る画像読取装置の外観斜視図。
【図２】画像読取装置においてカバーが開いた状態を示す外観斜視図。
【図３】画像読取装置における筐体内の構造を載置面側から見た平面図。
【図４】本実施例に係る画像読取装置の側断面図。
【図５】画像読取装置の裏面を示す斜視図。
【図６】筐体に設けられた収容部においてスタンドの自由端側に対応する端部を示す斜視図。
【図７】（Ａ）はスタンドを上方から見た斜視図であり、（Ｂ）はスタンドを下方から見た斜視図。
【図８】スタンドの第１の状態を示す斜視図。
【図９】収容室に収容されたスタンドのロック状態を示す断面図。
【図１０】スタンドを第１の状態から第２の状態へと切り換える途中を示す斜視図。
【図１１】スタンドの第２の状態を示す斜視図。
【図１２】（Ａ）はスタンドの第２の状態における規制手段を示す断面図であり、（Ｂ）はスタンドの第２の状態における規制手段を示す断面図。
【図１３】筐体を傾斜姿勢とした際の筐体における接地側の端部を示す断面図。
【発明を実施するための形態】
【００３２】
以下、本発明の実施の形態を図面に基づいて説明する。尚、各実施例において同一の構成については、同一の符号を付し、最初の実施例においてのみ説明し、以後の実施例においてはその構成の説明を省略する。
【００３３】
図１は本実施例に係る画像読取装置の外観斜視図であり、図２は画像読取装置においてカバーが開いた状態を示す外観斜視図であり、図３は画像読取装置における筐体内の構造を載置面側から見た平面図であり、図４は本実施例に係る画像読取装置の側断面図であり、図５は画像読取装置の裏面を示す斜視図であり、図６は筐体に設けられた収容部においてスタンドの自由端側に対応する端部を示す斜視図である。
【００３４】
図７（Ａ）はスタンドを上方から見た斜視図であり、図７（Ｂ）はスタンドを下方から見た斜視図であり、図８はスタンドの第１の状態を示す斜視図であり、図９は収容室に収容されたスタンドのロック状態を示す断面図であり、図１０はスタンドを第１の状態から第２の状態へと切り換える途中を示す斜視図であり、図１１はスタンドの第２の状態を示す斜視図であり、図１２（Ａ）はスタンドの第２の状態における規制手段を示す断面図であり、図１２（Ｂ）はスタンドの第２の状態における規制手段を示す断面図であり、図１３は筐体を傾斜姿勢とした際の筐体における接地側の端部を示す断面図である。
【００３５】
各図において示すＸ−Ｙ−Ｚ座標系はＸ方向が画像読取部の走査方向かつ装置幅方向、Ｙ方向が「所定の移動方向」である画像読取部の移動方向かつ装置奥行き方向、Ｚ方向が載置面に直交する方向を示している。尚、本明細書において＋Ｙ軸方向側を装置背面側とし、−Ｙ軸方向側を装置前面側とする。
【００３６】
■■■画像読取装置の概要■■■■
図１ないし図５を参照して、画像読取装置１０について説明する。画像読取装置１０は、筐体１２と、カバー１４と、載置面１６と、操作部１８と、案内部２０と、駆動機構２２と、画像読取部２４と、スタンド２６とを備えている。
【００３７】
図２に示すように筐体１２の上部には載置面１６が設けられている。本実施例において載置面１６は平坦かつ透明なガラス板により構成されており、その上面に画像を読み取る媒体を載置可能である。また、載置面１６の周囲は筐体１２を構成する前面フレーム１７ａ、背面フレーム１７ｂ、側面フレーム１７ｃ、１７ｄにより構成されている。つまり、これらのフレーム１７ａ、１７ｂ、１７ｃ、１７ｄに囲まれた載置面１６は画像読取部２４により媒体の読み取りが可能な読取領域として構成されている。
【００３８】
また、筐体１２において装置前面側（図１及び図２における−Ｙ軸方向側）には操作部１８が設けられている。操作部１８には、画像読取装置１０を操作するための電源スイッチや設定切換ボタン等を備えて構成されている。本実施例では図１に示すように操作部１８に設けられた複数のスイッチやボタンは、装置前面側（図１における−Ｙ軸方向側）から装置背面側（図１における＋Ｙ軸方向側）へ押すように構成されている。
【００３９】
また、筐体１２において装置背面側（図１及び図２における＋Ｙ軸方向側）の端部にはカバー１４が筐体１２に対して回動可能に取り付けられている。カバー１４は、図１に示すように載置面１６に対して閉じた姿勢と、図２に示すように載置面１６に対して開いた姿勢とを切換可能に取り得る。また、カバー１４の載置面１６と対向する側には、媒体押さえ部材２８が設けられている。媒体押さえ部材２８は例えばスポンジのような弾性体により構成されている。
【００４０】
媒体押さえ部材２８は、カバー１４が載置面１６に対して閉じた姿勢（図１参照）となった際、載置面１６に載置された媒体を当該媒体が載置面１６から浮かないように載置面１６と反対側から一様に押圧する。そして、媒体押さえ部材２８により押圧された媒体の被読取面が載置面１６に密着する。尚、媒体押さえ部材２８の大きさは、載置面１６に載置される媒体の載置面１６と反対側の面の全領域を押さえられるように載置面１６の大きさと略同じ大きさに設定されている。
【００４１】
図３に示すように筐体１２内には、装置奥行き方向（図３におけるＹ軸方向）において装置前面側（図３における−Ｙ軸方向側）から装置背面側（図３における＋Ｙ軸方向側）に延びる案内部２０が設けられている。案内部２０において図３における＋Ｘ軸方向側の側面にはラック３０が形成されている。また、図４に示すように案内部２０の上面（図４における＋Ｚ軸方向側）には装置奥行き方向に延びる凸部３２が形成されている。
【００４２】
そして、案内部２０には駆動機構２２及び画像読取部２４が装置奥行き方向（図３におけるＹ軸方向）に往復移動可能に取り付けられている。駆動機構２２は駆動モーター３４と、ピニオンギア３６と、凹部３８とを備えている。駆動モーター３４は、その駆動力を図示しない複数のギアを介してピニオンギア３６に伝達する。ピニオンギア３６は案内部２０のラック３０と噛合している。つまり、ラック３０とピニオンギア３６とはラックアンドピニオン機構を構成している。このように構成することで、画像読取部２４の移動領域内に駆動機構２２を収めることが可能となり、画像読取装置１０の小型化を図ることができる。
【００４３】
また、凹部３８（図４参照）は、案内部２０の凸部３２を受け入れている。図４に示すように載置面１６と直交する方向において駆動機構２２の上部（図４における＋Ｚ軸方向側）には画像読取部２４が取り付けられている。画像読取部２４は、載置面１６と直交する方向（図４におけるＺ軸方向）における上方側（＋Ｚ方向側）に位置する載置面１６に載置された媒体に光を照射し、該媒体からの反射光を受光して媒体の情報を読み取る光学ユニットとして構成されている。また、画像読取部２４は、装置幅方向（図３及び図４におけるＸ軸方向）に延設されており、載置面１６の装置幅方向における長さに対応している。
【００４４】
ここで、駆動機構２２の駆動モーター３４を駆動させると、その駆動力がピニオンギア３６に伝達される。そして、駆動機構２２は案内部２０の凸部３２に沿って画像読取部２４を装置奥行き方向（図３におけるＹ軸方向）に移動させ、載置面１６に載置された媒体の被読取面の画像や情報を読み取る。
【００４５】
■■■スタンド及び収容部について■■■■
再度、図３及び図４を参照するに、筐体１２において、案内部２０を挟んで駆動機構２２と反対側の領域には、スタンド２６の全体が収まるようにスタンド２６を収納する収容部４０が設けられている。収容部４０は図４ないし図６に示すように、筐体１２の裏面１２ａ側において凹形状に設けられ、筐体１２の裏面１２ａ側に開口している。図６を参照するに、収容部４０において装置奥行き方向（Ｙ軸方向）の装置背面側（＋Ｙ軸方向側）の端部には旋回軸４２と、第１規制部４４と、第２規制部４６とが設けられている。
【００４６】
図６において、本実施例に係る旋回軸４２は載置面１６に直交する方向に対して傾斜して設けられている。また、第１規制部４４と第２規制部４６とはスタンド２６の後述する第２の状態において第１の状態への切り替わりを規制する規制手段４８を構成している。第１規制部４４及び第２規制部４６については、後ほど詳説する。
【００４７】
また、収容部４０において装置奥行き方向（Ｙ軸方向）の装置前面側（−Ｙ軸方向側）の端部にはロック部５０が形成されている。ロック部５０は収容部４０の底面４０ａに対して庇状に形成されている。庇状のロック部５０の先端には、フック５０ａが形成されている。
【００４８】
また、再度図４を参照するに、載置面１６と直交する方向（図４におけるＺ軸方向）において、収容部４０の少なくとも一部が、筐体１２内において駆動機構２２の設けられた領域の少なくとも一部とが同じ位置に配置されている。言い換えると、装置幅方向（図４におけるＸ軸方向）から見て、収容部４０の少なくとも一部が駆動機構２２の設けられた領域の少なくとも一部と重なり合っている。つまり、載置面１６と直交する方向（図４おけるＺ軸方向）において、載置面１６から収容部４０の少なくとも一部の部位までの距離と、載置面１６から駆動機構２２の少なくとも一部の部位までの距離と、が同じである。
【００４９】
したがって、本実施例では、載置面１６と直交する方向（図４におけるＺ軸方向）において駆動機構２２と収容部４０とを積み上げて配置することがないので、載置面１６と直交する方向（図４におけるＺ軸方向）における画像読取装置１０の装置寸法の小型化を図ることができる。
【００５０】
次いで、図７（Ａ）及び図７（Ｂ）を参照してスタンド２６について説明する。スタンド２６は、本実施例では装置奥行き方向（Ｙ軸方向）に延びる単一の部材として構成されている。本実施例では、スタンド２６において図７（Ａ）における側を上面２６ａとし、図７（Ｂ）における側を裏面２６ｂとする。そして、装置奥行き方向においてスタンド２６の装置背面側（図７（Ａ）における＋Ｙ軸方向側）の端部には、収容部４０に設けられた旋回軸４２と嵌合する軸受部５２が形成されている。
【００５１】
また、装置奥行き方向におけるスタンド２６の装置背面側（図７（Ａ）における＋Ｙ軸方向側）の端部において、軸受部５２の装置幅方向における−Ｘ軸方向側には板ばね部５４がスタンド２６に一体に形成されている。具体的には、板ばね部５４は図７（Ａ）及び図７（Ｂ）における−Ｙ軸方向側の端部はスタンド２６に一体に形成され、＋Ｙ軸方向側の端部は自由端として構成されている。したがって、板ばね部５４の前記自由端は図７（Ａ）及び図７（Ｂ）におけるスタンド２６の上面２６ａ側と裏面２６ｂ側とを結ぶ方向に撓むことが可能である。
【００５２】
また、板ばね部５４において、スタンド２６を収容部４０に収容した際、収容部４０の底面４０ａと向かい合う側（図７（Ｂ）参照）には係合部５４ａが設けられている。また、スタンド２６の裏面２６ｂ側において図７（Ｂ）における＋Ｘ軸方向側の端部をサイドエッジ２６ｃとする。
【００５３】
また、装置奥行き方向におけるスタンド２６の装置前面側（図７（Ａ）における−Ｙ軸方向側）の端部（以下、自由端側端部という）には、被ロック部５６が形成されている。被ロック部には傾斜面５６ａが設けられている。
【００５４】
また、本実施例ではスタンド２６を単一の部材として構成したので、スタンド２６の構成を簡素化でき、コストダウンを図ることができる。
【００５５】
また、図５に示すように、筐体１２にスタンド２６が取り付けられた状態では、スタンド２６の軸受部５２に収容部４０に設けられた旋回軸４２が嵌合されている。つまり、スタンド２６は旋回軸４２を支点として旋回軸４２の周りを旋回可能である。また、本実施例において、収容部４０は装置奥行き方向に沿って設けられている。そして、収容部４０に収容されるスタンド２６における自由端は、筐体１２において操作部１８が設けられた側、つまり装置前面側を向いており、スタンド２６における軸受部５２が設けられた側の端部は、装置背面側を向いている。
【００５６】
また、旋回軸４２は載置面１６に直交する方向に対して傾斜しているので、スタンド２６を図８に示す収容部４０に収容された状態から旋回軸４２を支点に旋回させると、図１０及び図１１に示すように筐体１２に対して傾斜しながら旋回することとなる。
【００５７】
ここで、図８に示す筐体１２の収容部４０にスタンド２６が収容されている状態をスタンド２６における第１の状態とし、図１１に示すように筐体１２を傾斜姿勢に保持する状態をスタンド２６における第２の状態とする。尚、図４、図８及び図９に示すようにスタンド２６が収容部４０に収容された状態では、スタンド２６は筐体１２の裏面１２ａの一部を構成している。
【００５８】
つまり、本実施例ではスタンド２６を収容部４０に収容した第１の状態において、スタンド２６は筐体１２の裏面１２ａの一部を構成している。例えば、本実施例のように収容部４０にスタンド２６が収容された状態において、スタンド２６が筐体１２の裏面１２ａから突出する部位がないように構成する（図４参照）と、載置面１６に直交する方向の寸法を小さくすることができるとともに筐体１２を机等の設置面に載置面１６が前記設置面に対して平行となるように置いたときの画像読取装置１０の安定性を向上させることができる。さらに、スタンド２６が筐体１２の裏面１２ａから突出する部位がないので、スタンド２６によって不意に引っ掛かりが生じることを抑制できる。
【００５９】
また、本実施例では、収容部４０を画像読取部２４の移動方向と交差する方向である装置幅方向において、案内部２０を挟んで駆動機構２２が移動する移動領域に対し反対側の領域に配置したので、スタンド２６を収容する収容部４０を筐体内に設けることができる。その結果、収容部４０を筐体１２の外側に配置する必要がないので画像読取装置１０の装置寸法の小型化を図ることができる。
【００６０】
■■■スタンドの第１の状態と第２の状態との切換について■■■■
次いで、図８ないし図１２を参照して筐体１２に対するスタンド２６の第１の状態と第２の状態との切換について説明する。図８において、画像読取装置１０は、当該画像読取装置１０を設置する設置面５８に対して装置側面側の側面フレーム１７ｃを下方にして傾斜した姿勢を取っている。この姿勢において、筐体１２内の駆動機構２２は案内部２０に対して傾斜方向下方側に位置している。つまり、この姿勢においてスタンド２６を収容する収容部４０は案内部２０に対して傾斜方向上方側に位置している。尚、図８、図１０及び図１１において画像読取装置１０を傾斜させた姿勢におけるＸ軸方向を傾斜方向とする。
【００６１】
ここで、駆動機構２２を案内部２０に対して傾斜方向下方側に位置させた利点について説明する。例えば、駆動機構２２を案内部２０に対して傾斜方向上方側に位置させた場合では、駆動機構２２は重力により案内部２０に対して押し付けられた状態となる。具体的には、ラック３０とピニオンギア３６との噛み合いが深くなる。これにより、ラック３０とピニオンギア３６との間に生じる摩擦力が大きくなり、駆動機構２２の駆動が円滑でなくなる。その結果、画像読取部２４の装置奥行き方向（図８におけるＹ軸方向）への移動性が低下し、媒体の画像読み取りの品質の低下を招く虞がある。
【００６２】
そして、上記の構成に対し本実施例では、駆動機構２２を案内部２０に対して傾斜方向下方側に位置させている。筐体１２を傾斜姿勢（図８、図１０及び図１１参照）にすると、駆動機構２２は案内部２０に対して傾斜方向下方側に位置しているので案内部２０に設けられたラック３０に対する駆動機構２２のピニオンギア３６の噛合距離を一定に維持することができる。これにより、案内部２０に対する駆動機構２２の駆動を円滑にすることができる。その結果、画像読取部２４を装置奥行き方向（図８におけるＹ軸方向）に円滑に移動させることができるので、媒体の画像読み取りの品質の低下を抑制できる。
【００６３】
また、本実施例では筐体１２を傾斜姿勢にした際、傾斜方向と交差する方向である装置奥行き方向（図８におけるＹ軸方向）に沿って延びている案内部２０に対して駆動機構２２の移動領域は傾斜方向下方側に位置しているので、傾斜姿勢における筐体１２の重心を下方側に下げることができ、筐体１２の傾斜姿勢における安定性を向上させることができる。
【００６４】
また、図９に示すように、スタンド２６が収容部４０に収容される第１の状態において、スタンド２６の自由端側端部に設けられた被ロック部５６の傾斜面５６ａは、収容部４０においてスタンド２６が収容された状態における自由端側に対応する位置に設けられた庇状のロック部５０のフック５０ａと係合している。
【００６５】
ここで、スタンド２６の被ロック部５６は、載置面１６に直交する方向において庇状のロック部５０と収容部４０の底面４０ａとの間に入り込んだ状態でロック部５０によりロックされる。すなわち、被ロック部５６は庇状のロック部５０に潜り込んだ状態でロックされている。
【００６６】
また、この状態では、スタンド２６を旋回軸４２を支点にして図９における＋Ｘ軸方向側に旋回させようとしてもロック部５０のフック５０ａと被ロック部５６の傾斜面５６ａとが係合しているので図９における＋Ｘ軸方向側への旋回が規制される。さらに、被ロック部５６は庇状のロック部５０に潜り込んだ状態でロックされているので、載置面１６に直交する方向におけるスタンド２６の変位、つまりバタつきも規制される。
【００６７】
すなわち、本実施例において、収容部４０にスタンド２６が収容される際、被ロック部５６が庇状のロック部５０に潜り込んだ状態でスタンド２６がロックされるので、スタンド２６において旋回方向（図９における＋Ｘ軸方向）の動きがロックされるだけでなく、載置面１６と直交する方向の動きもロックされる。その結果、スタンド２６が収容部４０から旋回方向（図９における＋Ｘ軸方向）に不用意に引き出されるのを抑制できるとともに載置面１６と直交する方向におけるスタンド２６の筐体１２に対するバタつきを抑えることができる。
【００６８】
また、被ロック部５６に対するロック部５０のロックを解除するには、図９においてスタンド２６を載置面１６に直交する方向において載置面１６側に押し込むとフック５０ａからスタンド２６の傾斜面５６ａが離間し、係合状態が解除される。つまり、スタンド２６における規制状態は解除されるので、スタンド２６を図９における＋Ｘ軸方向側に旋回させることができる。
【００６９】
そして、図１０に示すように、スタンド２６を収容部４０から引き出し、旋回軸４２の周りを図１０における反時計周り方向に旋回させる。この際、旋回軸４２は載置面１６に直交する方向に対して傾斜して設けられているので、旋回するとともにスタンド２６は筐体１２の裏面１２ａに対して傾斜する。そして、スタンド２６を旋回軸４２の周りに９０度以上旋回させると、スタンド２６は第１規制部４４及び第２規制部４６から成る規制手段４８により収容部４０側への旋回を規制される第２の状態（図１１参照）となる。
【００７０】
本実施例では、旋回軸４２を載置面１６と直交する方向（図１１におけるＺ軸方向）に対して傾斜させているので、旋回軸４２を支点にスタンド２６を筐体１２に対して旋回させて使用状態である第２の状態とした際、載置面１６と直交する方向（図１１におけるＺ軸方向）においてスタンド２６の前記自由端側と筐体１２の裏面との間の距離が大きくなる。つまり、筐体１２を図１１に示すように傾斜姿勢にした際、筐体１２の設置面５８における接地位置とスタンド２６の設置面５８における接地位置との間の距離を大きくすることができるので、筐体の１２傾斜姿勢を安定させることができる。
【００７１】
＜＜＜規制手段について＞＞＞
ここで、図１２（Ａ）及び図１２（Ｂ）を参照して第１規制部４４及び第２規制部４６から成る規制手段４８について説明する。図６及び図１２（Ａ）に示すように第１規制部４４は、収容部４０の底面４０ａに形成され、案内面４４ａと、規制面４４ｂとを備えている。
【００７２】
スタンド２６を収容部４０に収容された第１の状態から第２の状態に向けて旋回軸４２を支点に旋回させると、板ばね部５４の係合部５４ａ（図７（Ｂ）及び図１２（Ａ）参照）は第１規制部４４の案内面４４ａに沿って移動しつつ、スタンド２６の上面２６ａ側に撓む。そして、スタンド２６を旋回軸４２の周りに９０度以上旋回させると、板ばね部５４の係合部５４ａは案内面４４ａを乗り越えて、規制面４４ｂと係合する。係合部５４ａと規制面４４ｂとが係合すると、スタンド２６における第２の状態から第１の状態への切換、つまり、図１１における時計回り方向への旋回を規制する。
【００７３】
また、第２規制部４６には、スタンド２６が第２の状態となった際、スタンド２６のサイドエッジ２６ｃが乗り上げる。これにより、スタンド２６における第２の状態において、スタンド２６の上面２６ａと裏面２６ｂとを結ぶ方向におけるスタンド２６のバタつきを抑えることができる。また、サイドエッジ２６ｃが第２規制部４６に乗り上げることで、スタンド２６には第２の状態から第１の状態へ切り換わる方向への旋回に対して抵抗を与えることができる。
【００７４】
つまり、本実施例では、第１規制部４４及び第２規制部４６から成る規制手段４８は
スタンド２６の第２の状態（図１１参照）から第１の状態（図８参照）への切換を規制するので、スタンド２６の第２の状態を維持することができる。したがって、スタンド２６が第２の状態から第１の状態へと旋回してスタンド２６の状態が切り換わることにより傾斜姿勢の筐体１２が倒れることを低減、あるいは防止する。これにより、画像読取装置１０の損傷を低減、あるいは防止することができる。
【００７５】
また、図１１においてスタンド２６が第２の状態にある際、スタンド２６は傾斜姿勢の筐体１２を支持している。この状態では、スタンド２６に画像読取装置１０の重量の一部が作用する。本実施例では、スタンド２６を第１の状態から９０度以上旋回させているので、第２の状態にあるスタンド２６に作用する画像読取装置１０の重量の一部は、スタンド２６をさらに図１１における時計回り方向に旋回させようと作用する。つまり、画像読取装置１０の重量の一部は、スタンド２６において第２の状態から第１の状態へと切り換わる方向と逆方向に作用する。
【００７６】
ここで、例えば、図１１における装置奥行き方向において装置前面側（−Ｙ軸方向側）から装置背面側（＋Ｙ軸方向側）へ筐体１２を押す力が加わると、この力はスタンド２６において第２の状態から第１の状態にスタンドを旋回させようと作用する。しかしながら、スタンド２６には画像読取装置１０の重量の一部が第２の状態から第１の状態へと切り換わる方向と逆方向に作用しているので、この力の抗力として作用する。その結果、スタンド２６は第２の状態から第１の状態へスタンド２６を切り換えようとする力に抗して第２の状態を保持することができる。これにより、スタンド２６が第２の状態から第１の状態に切り換わることを低減、あるいは防止することができ、スタンド２６の状態が不用意に切り換わることによる画像読取装置１０の損傷を低減、あるいは防止することができる。
【００７７】
ここで、スタンド２６を第２の状態から第１の状態に切り換える場合、ユーザーは設置面５８に対して傾斜姿勢を取る筐体１２を持ち上げ、あるいは筐体１２の傾斜姿勢を変化させることによりスタンド２６を設置面５８から離間させる。そして、スタンド２６に第２の状態から第１の状態へ切り換える方向に力を加える。
【００７８】
この際、スタンド２６には筐体の重量が作用していないので、容易に第２規制部４６とサイドエッジ２６ｃとの係合状態が解除される。さらに、スタンド２６に第２の状態から第１の状態へ切り換える方向に力を加えると、板ばね部５４がスタンド２６の上面２６ａ側に撓み、第１規制部４４の規制面４４ｂと板ばね部５４の係合部５４ａとの係合が解除される。
【００７９】
そして、スタンド２６を第２の状態から第１の状態へ切り換える方向へ旋回させると、係合部５４ａは第１規制部４４の案内面４４ａに沿って動き、板ばね部５４の撓みは解消される。そして、スタンド２６を収容部４０に向けて旋回させながら押し込むと、被ロック部５６がロック部５０に潜り込んでロックされ、スタンド２６の収容部４０への収容が完了する。
【００８０】
つまり、本実施例では、スタンド２６を筐体１２に対して旋回させることにより、第１の状態と第２の状態とを切換可能に構成したので、スタンド２６の操作性を向上させることができる。
【００８１】
＜＜＜側面フレームの構造について＞＞＞
また、図１３には筐体１２が傾斜姿勢にある際の傾斜方向下方側における筐体１２の端部を示している。筐体１２が傾斜姿勢を取る際、載置面１６の傾斜方向下方側には側面フレーム１７ｃが位置している。側面フレーム１７ｃには、載置面１６と当接する部分に案内面６０が設けられている。案内面６０は、載置面１６に直交する方向に対して傾斜して設けられている。具体的には、案内面６０は載置面１６に近づくにつれて筐体１２の外側に向けて傾くように構成されている。
【００８２】
すなわち、図１３に示すように筐体１２を傾斜した姿勢にした際、載置面１６に媒体をセットすると媒体における傾斜方向下方側の端部は、案内面６０と当接する。さらに媒体における傾斜方向下方側の端部は、案内面６０により載置面１６に当接する方向へ案内される。したがって、筐体１２を傾斜姿勢とした際でも画像読取装置１０の載置面１６に媒体をセットし、媒体の画像や情報を読み取ることができる。つまり、画像読取装置１０は、スタンド２６により傾斜姿勢で維持された状態においても、使用することができる。
【００８３】
＜＜＜実施例の変更例＞＞＞
（１）本実施例では、操作部１８においてボタンやスイッチ等を押す入力方向は装置背面側に向かう方向に設定されている。つまり、前記入力方向は、スタンド２６における第１の状態から第２の状態への切換方向（装置奥行き方向における＋Ｙ軸方向）に設定されている。この構成に代えて、操作部１８における入力方向をスタンド２６における第２の状態から第１の状態への切換方向（装置奥行き方向における−Ｙ軸方向）に作用する方向に設定してもよい。言い換えると、図８において操作部１８を収容部４０に収容されたスタンド２６の自由端側に配置した状態からスタンド２６の回動軸側に配置した状態としてもよい。
【００８４】
このように構成すると、操作部１８の前記入力方向は、スタンド２６の第２の状態から第１の状態への切換方向（装置奥行き方向における−Ｙ軸方向）に作用する方向となる。そして、図１１に示すように筐体１２を傾斜した姿勢において操作部１８（この変更例では図１１において操作部１８が図１１における装置背面側に配置され、カバー１４の回動軸が装置前面側に配置されることとなる。）を操作した際、筐体１２はスタンド２６の第２の状態から第１の状態への切換方向（装置奥行き方向における−Ｙ軸方向）に押される。
【００８５】
その結果、筐体１２を押すことによりスタンド２６にはスタンド２６の自由端と設置面５８との間の摩擦で生じる反力が第１の状態から第２の状態への切り換わる方向（装置奥行き方向における＋Ｙ軸方向）へ作用する。つまり、操作部１８を操作すると、操作部１８に入力された力はスタンド２６を第１の状態から第２の状態へ切り換える方向に作用する。これにより、スタンド２６の第２の状態が維持される。したがって、筐体１２が傾斜した姿勢において操作部１８を操作した際、筐体１２が倒れることを抑制し、操作部１８の操作性を向上させることができ、当該画像読取装置１０の利便性を向上させることができる。
【００８６】
（２）本実施例において駆動機構２２をラックピニオン機構（ラック３０及びピニオンギア３６）で構成したが、この構成に代えて画像読取部２４に直線往復動作をさせる駆動機構としてもよい。そのような駆動機構の一例としてタイミングベルトを用いた駆動機構により構成してもよい。
（３）本実施例においては、スタンド２６を収容部４０に収容した第１の状態において、スタンド２６は筐体１２の裏面１２ａの一部を構成したが、この構成に代えて、スタンド２６は筐体１２の裏面１２ａの一部を構成せず、スタンド２６は筐体１２の裏面１２ａと比較して凹んだ状態で構成してもよい。
【００８７】
上記説明をまとめると、本実施例における画像読取装置１０は、載置面１６に載置された媒体の画像を読み取る画像読取部２４と、当該画像読取部２４を往復移動可能に内部に設けた筐体１２と、画像読取部２４の移動方向である装置奥行き方向（Ｙ軸方向）に沿って延び、当該装置奥行き方向に案内する案内部２０と、画像読取部２４に設けられ、案内部２０に沿って画像読取部２４を装置奥行き方向に移動させる駆動機構２２と、筐体に設けられた収容部に収容された第１の状態と前記収容部から出て筐体１２を傾斜姿勢に保持可能な第２の状態とを切換可能であるスタンド２６とを備えている。  
画像読取装置１０において収容部４０は、装置奥行き方向と交差する方向である装置幅方向において、駆動機構２２が移動する領域に対し反対側の領域に配置されている。
【００８８】
また、画像読取装置１０において筐体１２が傾斜姿勢にある状態で、案内部２０は、傾斜方向と交差する方向である装置奥行き方向に沿って延びているとともに、収容部４０が駆動機構２２の移動領域に対し上側に位置している。
【００８９】
また、画像読取装置１０において、載置面１６と直交する方向において、載置面１６から収容部４０の少なくとも一部の部位までの距離と、載置面１６から駆動機構２２の少なくとも一部の部位までの距離と、が同じである。また、スタンド２６は旋回軸４２を中心に旋回することにより、第１の状態と第２の状態とを切換可能である。そして、旋回軸４２は載置面１６と直交する方向に対して傾斜している。また、スタンド２６は単一の部材として構成されている、
【００９０】
また、画像読取装置１０において収容部４０には庇状のロック部５０が形成されている。また、スタンド２６には被ロック部５６が形成されている。スタンド２６が収容部４０に収容された状態において、被ロック部５６はロック部５０に潜り込んだ状態でスタンド２６の旋回方向の動きがロックされる。
【００９１】
スタンド２６は収容部４０に収容された状態において、筐体１２の裏面１２ａの一部を構成する。また、画像読取装置１０はスタンド２６の第２の状態から第１の状態への切換を規制する規制手段４８を備えている。
【００９２】
収容部４０は画像読取部２４の移動方向である装置奥行き方向に沿って設けられている。スタンド２６が第１の状態から第２の状態へ切り換わる際の旋回角度は９０度以上である。  
画像読取装置１０は各種操作を行う操作部１８を備えている。筐体１２が傾斜姿勢にある際、操作部１８に入力される力はスタンド２６を第１の状態から第２の状態へ切り換える方向に作用する。
【００９３】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００９４】
１０  画像読取装置、１２  筐体、１２ａ、２６ｂ  裏面、１４  カバー、１６  載置面、１７ａ  前面フレーム、１７ｂ  背面フレーム、１７ｃ  側面フレーム、
１７ｄ  側面フレーム、１８  操作部、２０  案内部、２２  駆動機構、
２４  画像読取部、２６  スタンド、２６ａ  上面、２６ｃ  サイドエッジ、
２８  媒体押さえ部材、３０  ラック、３２  凸部、３４  駆動モーター、
３６  ピニオンギア、３８  凹部、４０  収容部、４０ａ  底面、４２  旋回軸、
４４  第１規制部、４４ａ、６０  案内面、４４ｂ  規制面、４６  第２規制部、
４８  規制手段、５０  ロック部、５０ａ  フック、５２  軸受部、５４  板ばね、
５４ａ  係合部、５６  被ロック部、５６ａ  傾斜面、５８  設置面
【図１】
0006390232.tif 000002
【図２】
0006390232.tif 000003
【図３】
0006390232.tif 000004
【図４】
0006390232.tif 000005
【図５】
0006390232.tif 000006
【図６】
0006390232.tif 000007
【図７】
0006390232.tif 000008
【図８】
0006390232.tif 000009
【図９】
0006390232.tif 000010
【図１０】
0006390232.tif 000011
【図１１】
0006390232.tif 000012
【図１２】
0006390232.tif 000013
【図１３】
0006390232.tif 000014